(57)【要約】【課題】ノーマルモードノイズの低減効果を高めつつ、鉄損を低減し、直流重畳特性を改善できるコモンモードチョークコイルを提供する。【解決手段】コモンモードチョークコイル４０は、環状の巻鉄心４２と、巻鉄心４２の異なる部分に巻回された第１，第２巻線４１ａ，４１ｂと、巻鉄心４２に設けられ、巻鉄心４２に形成される閉磁路とは別の閉磁路を形成する鉄心であって、第１，第２巻線４１ａ，４１ｂに流れる電流によって発生する磁束の一部を流す第１，第２バイパス用鉄心４４，４５とを備えている。巻鉄心４２は、非磁性層を介在させて帯状の磁性部材が複数積層されて構成されている。また、第１，第２バイパス用鉄心４４，４５は、磁束入口部４２ａ，４５ａ及び磁束出口部のそれぞれを巻鉄心４２の積層面４２ａ，４２ｂに対向させた状態で、巻鉄心４２に設けられている。【選択図】      図６
2016111307.tif 000002
【特許請求の範囲】
【請求項１】
非磁性層を介在させて帯状の磁性部材が複数積層されて構成された環状の巻鉄心（４２；７１）と、
前記巻鉄心の異なる部分に巻回された複数の巻線（４１ａ，４１ｂ）と、
前記巻鉄心に設けられ、前記巻鉄心に形成される閉磁路とは別の閉磁路を形成する鉄心であって、前記巻線に流れる電流によって発生する磁束の一部を流すバイパス用鉄心（４４，４５；６１，６２，６４，６５；７２，７３）とを備え、
前記バイパス用鉄心は、前記巻線に流れる電流によって発生する磁束の一部を取り込む磁束入口部（４４ａ，４５ａ；６１ａ，６２ａ，６４ａ，６５ａ；７２ａ，７３ａ）、及び前記磁束入口部から取り込まれた磁束を前記巻鉄心に戻す磁束出口部（４４ｂ，４５ｂ；６１ｂ，６４ｂ；７２ｂ，７３ｂ）を有し、前記磁束入口部及び前記磁束出口部のそれぞれを前記巻鉄心の積層面（４２ａ，４２ｂ；７１ａ，７１ｂ）に対向させた状態で、前記巻鉄心に設けられていることを特徴とするコモンモードチョークコイル。
【請求項２】
前記バイパス用鉄心は、前記巻鉄心を構成する前記磁性部材の幅方向において、前記巻鉄心の内周側空間に入り込まない形状とされている請求項１記載のコモンモードチョークコイル。
【請求項３】
前記バイパス用鉄心は、前記巻鉄心の積層面のうち、前記内周側空間を挟んで対向する一対の部分の間に架け渡されるような形状とされている請求項２記載のコモンモードチョークコイル。
【請求項４】
前記バイパス用鉄心（４４，４５；７２，７３）は、棒状をなし、
前記バイパス用鉄心の両端部のうち一方が前記磁束入口部（４４ａ，４５ａ；７２ａ，７３ａ）とされ、他方が前記磁束出口部（４４ｂ，４５ｂ；７２ｂ，７３ｂ）とされている請求項２又は３記載のコモンモードチョークコイル。
【請求項５】
前記バイパス用鉄心は、前記磁束入口部及び前記磁束出口部のそれぞれが前記巻鉄心の積層面のみに対向した状態で、前記巻鉄心に設けられている請求項１〜４のいずれか１項に記載のコモンモードチョークコイル。
【請求項６】
前記磁束入口部及び前記磁束出口部のうち少なくとも一方と前記巻鉄心の積層面との間には、磁気的なギャップが形成されている請求項１〜５のいずれか１項に記載のコモンモードチョークコイル。
【発明の詳細な説明】
【技術分野】
【０００１】
本発明は、コモンモードチョークコイルに関する。
【背景技術】
【０００２】
従来、コモンモードノイズを低減するノイズフィルタ用のコモンモードチョークコイルが知られている。ここで、このコイルとしては、下記特許文献１に見られるように、ノーマルモードノイズの低減効果を高めたものも知られている。詳しくは、このコイルは、円環状の鉄心と、鉄心に巻回された２つの巻線とを備えている。鉄心の内周面のうち一対の対向部分のそれぞれには、鉄心に形成される閉磁路とは別の閉磁路を形成するための突起が設けられている。突起を設けることにより、上記別の閉磁路には、巻線に流れる電流によって発生する磁束の一部が流れる。このため、漏れインダクタンスの増大によってノーマルモードインダクタンスを増大させることができ、ノーマルモードノイズの低減効果を高めることができる。
【先行技術文献】
【特許文献】
【０００３】
【特許文献１】特開平４−３５５９０６号公報
【発明の概要】
【発明が解決しようとする課題】
【０００４】
ところで、本願発明者は、巻線が巻回される鉄心として、環状の巻鉄心を採用することとした。巻鉄心は、非磁性層を介在させて帯状の磁性部材が複数積層されて構成されている。ここで、例えば上記突起を、巻鉄心の内周面のうち一対の対向部分のそれぞれに設けると、突起を介して流れる磁束が巻鉄心の内周面に集中する。これは、非磁性層が磁性部材の間に介在しているためである。磁束が巻鉄心の内周面に集中すると、コイルにおける鉄損（渦電流損やヒステリシス損）が増大したり、コイルのインダクタンスの直流重畳特性が悪化したりするおそれがある。このように、ノーマルモードノイズ低減効果を高めるための構成を備える巻鉄心型のコモンモードチョークコイルは、未だ改善の余地がある。
【０００５】
本発明は、鉄損を低減し、直流重畳特性を改善できるコモンモードチョークコイルを提供することを主たる目的とする。
【課題を解決するための手段】
【０００６】
以下、上記課題を解決するための手段、及びその作用効果について記載する。
【０００７】
本発明は、非磁性層を介在させて帯状の磁性部材が複数積層されて構成された環状の巻鉄心（４２；７１）と、前記巻鉄心の異なる部分に巻回された複数の巻線（４１ａ，４１ｂ）と、前記巻鉄心に設けられ、前記巻鉄心に形成される閉磁路とは別の閉磁路を形成する鉄心であって、前記巻線に流れる電流によって発生する磁束の一部を流すバイパス用鉄心（４４，４５；６１，６２，６４，６５；７２，７３）とを備え、前記バイパス用鉄心は、前記巻線に流れる電流によって発生する磁束の一部を取り込む磁束入口部（４４ａ，４５ａ；６１ａ，６２ａ，６４ａ，６５ａ；７２ａ，７３ａ）、及び前記磁束入口部から取り込まれた磁束を前記巻鉄心に戻す磁束出口部（４４ｂ，４５ｂ；６１ｂ，６４ｂ；７２ｂ，７３ｂ）を有し、前記磁束入口部及び前記磁束出口部のそれぞれを前記巻鉄心の積層面（４２ａ，４２ｂ；７１ａ，７１ｂ）に対向させた状態で、前記巻鉄心に設けられていることを特徴とする。
【０００８】
上記発明では、漏れインダクタンスを増大させてノーマルモードノイズの低減効果を高めるために、巻鉄心にバイパス用鉄心が設けられている。ここで、バイパス用鉄心の磁束入口部及び磁束出口部のそれぞれは、巻鉄心の積層面に対向した状態とされている。この構成によれば、バイパス用鉄心に流れる漏れ磁束が積層面と鎖交する。磁性部材の間に非磁性層が介在していることから、積層面と鎖交した漏れ磁束は、巻き鉄心の内周面に集中することなく巻鉄心の積層方向内部にも分布するようになる。このため、巻鉄心の内周面における磁束の集中を回避することができ、鉄損を低減し、直流重畳特性を改善することができる。
【図面の簡単な説明】
【０００９】
【図１】第１実施形態にかかる電力変換回路の全体構成を示す図。
【図２】電力変換回路の２次側の等価回路を示す図。
【図３】バッテリへの出力電流等の推移を示す図。
【図４】電流リプルの低減効果を示す図。
【図５】コモンモードチョークコイルの平面図。
【図６】図５の１−１線断面図。
【図７】図５の２−２線断面図。
【図８】コモンモードチョークコイルの部分斜視図。
【図９】関連技術にかかるコモンモードチョークコイルの平面図。
【図１０】図９の１−１線断面図。
【図１１】巻鉄心の径方向における磁束密度分布を示す図。
【図１２】関連技術にかかる磁束の集中態様を示す部分斜視図。
【図１３】ノーマルモードインダクタンス成分の直流重畳特性を示す図。
【図１４】コモンモードインダクタンス成分の直流重畳特性を示す図。
【図１５】第２実施形態にかかるコモンモードチョークコイルの平面図。
【図１６】図１５の１−１線断面図。
【図１７】図１５の２−２線断面図。
【図１８】第３実施形態にかかるコモンモードチョークコイルの平面図。
【図１９】図１８の１−１線断面図。
【図２０】図１８の２−２線断面図。
【発明を実施するための形態】
【００１０】
（第１実施形態）
以下、本発明にかかるコモンモードチョークコイルを電力変換回路に適用した第１実施形態について、図面を参照しつつ説明する。
【００１１】
図１に示すように、本実施形態にかかる電力変換回路１０は、第１端子Ｔ１及び第２端子Ｔ２を介して入力された直流電圧をバッテリ２０に供給して充電するためのものである。電力変換回路１０は、第１コンデンサ３０、フルブリッジ回路３１、トランス３２、整流回路３３、平滑リアクトル３４、第２コンデンサ３５、及びコモンモードチョークコイル４０を備えている。
【００１２】
詳しくは、第１，第２端子Ｔ１，Ｔ２には、第１コンデンサ３０を介してフルブリッジ回路３１が電気的に接続されている。フルブリッジ回路３１は、第１，第２，第３，第４スイッチＳ１，Ｓ２，Ｓ３，Ｓ４を備え、入力された直流電圧を交流電圧に変換してトランス３２の１次側巻線３２ａに印加する。なお、各スイッチＳ１〜Ｓ４としては、例えば、電圧制御形の半導体スイッチング素子（例えば、ＭＯＳＦＥＴ又はＩＧＢＴ）や、電流制御形の半導体スイッチング素子（例えばバイポーラトランスジスタ）を用いることができる。また、各スイッチＳ１〜Ｓ４には、ダイオードが逆並列に接続されている。
【００１３】
トランス３２の２次側巻線３２ｂには、整流回路３３の入力側が電気的に接続されている。本実施形態にかかる整流回路３３は、第１，第２，第３，第４ダイオードＤ１，Ｄ２，Ｄ３，Ｄ４を備える全波整流回路である。整流回路３３は、２次側巻線３２ｂから出力された交流電流を直流電流に整流する機能を有する。なお、整流回路３３としては、ダイオードを備えるものに限らず、スイッチを備えて同期整流を行うものであってもよい。
【００１４】
整流回路３３の出力側には、平滑リアクトル３４及び第２コンデンサ３５を介して、コモンモードチョークコイル４０の入力側が電気的に接続されている。コモンモードチョークコイル４０の出力側には、バッテリ２０が電気的に接続されている。コモンモードチョークコイル４０は、第２コンデンサ３５の両端のそれぞれに接続された第１巻線４１ａ及び第２巻線４１ｂと、各巻線４１ａ，４１ｂが巻回された共通の巻鉄心４２とを備えている。本実施形態にかかるコモンモードチョークコイル４０は、コモンモードノイズに加えて、ノーマルモードノイズの低減効果が高められたものとなっている。コモンモードノイズの低減には、第１，第２巻線４１ａ，４１ｂに流れる電流によって発生する磁束のうち、各巻線４１ａ，４１ｂの双方に鎖交する磁束によって発生するコモンモードインダクタンスが寄与している。ノーマルモードノイズの低減には、第１，第２巻線４１ａ，４１ｂに流れる電流によって発生する磁束のうち、各巻線４１ａ，４１ｂのいずれか１つに鎖交する磁束によって発生する漏れインダクタ４３の漏れインダクタンスが寄与している。図１には、この漏れインダクタンスを「Ｌ２」にて示した。以下、図２〜図４を用いて、ノーマルモードノイズの低減について説明する。
【００１５】
図２に、電力変換回路１０の２次側の等価回路を示す。ここで、図２では、トランス３２及び整流回路３３を備える２次側の構成を電源２１に置き換えている。また、図２では、平滑リアクトル３４に流れる電流を「ＩＬ１」にて示し、漏れインダクタ４３に流れる電流を「ＩＬ２」にて示す。続いて、図３（ａ）に電源２１の出力電圧の推移を示し、図３（ｂ）にＩＬ１，ＩＬ２の推移を示し、図４に漏れインダクタンスＬ２と出力電流リプルとの関係を示す。漏れインダクタンスＬ２を増大させることにより、電力変換回路１０からバッテリ２０への出力電流のリプルを低減することができる。
【００１６】
続いて、コモンモードチョークコイル４０の構造について、関連技術と比較しつつ説明する。まず、図５〜図８を用いてコモンモードチョークコイル４０の構造について説明する。ここで、図６は、図５の１−１線断面図を示し、図７は、図５の２−２線断面図を示す。また、図８は、コモンモードチョークコイル４０の一部を示す斜視図である。なお、図７では、第１，第２巻線４１ａ，４１ｂの図示を省略している。また、図８では、部材断面のハッチングを省略している。
【００１７】
図示されるように、本実施形態にかかる巻鉄心４２は、円環形状をなすトロイダルコアである。巻鉄心４２のうち、巻鉄心４２の内周側空間を挟んだ一対の対向部分の一方には、第１巻線４１ａが巻回され、他方には、第２巻線４１ｂが巻回されている。巻鉄心４２は、その径方向において、帯状の磁性部材と、磁気的絶縁性を有する非磁性層とが交互に複数積層されて構成されている。磁性部材は、電磁鋼板等の軟磁性体からなり、具体的には例えば、ファインメット（登録商標）やアモルファスを用いることができる。また本実施形態において、非磁性層は、例えば反磁性体等、比透磁率が１よりも小さいもので構成されている。ちなみに、第１，第２巻線４１ａ，４１ｂは、巻鉄心４２に取り付けられたボビンを介して巻鉄心４２に巻回されていてもよい。また、本実施形態では、巻鉄心４２の一対の平坦面のうち、一方を第１積層面４２ａと称し、他方を第２積層面４２ｂと称すこととする。
【００１８】
コモンモードチョークコイル４０は、さらに、第１バイパス用鉄心４４と、第２バイパス用鉄心４５とを備えている。本実施形態において、各バイパス用鉄心４４，４５は、互いに同一形状をなし、具体的には、棒状をなしてかつ断面が矩形形状とされている。
【００１９】
第１バイパス用鉄心４４の長手方向に延びる本体部の端部の一方には、上記長手方向と直交する方向に延びる第１磁束入口部４４ａが一体的に設けられ、他方には、上記長手方向と直交する方向に延びる第１磁束出口部４４ｂが一体的に設けられている。第１バイパス用鉄心４４は、例えば、フェライト等の磁性体で構成されている。第１積層面４２ａの径方向において対向する一対の部分のうち一方には、第１磁束入口部４４ａの端部（端面）が第１ギャップ調整部材４６ａを介して機械的に接続され、他方には、第１磁束出口部４４ｂの端部（端面）が第２ギャップ調整部材４６ｂを介して機械的に接続されている。第１バイパス用鉄心４４は、巻鉄心４２の内周側空間に入り込まない形状とされている。換言すれば、第１バイパス用鉄心４４は、巻鉄心４２を構成する磁性部材の幅方向において、巻鉄心４２とは重ならない形状とされている。これにより、第１バイパス用鉄心４４は、巻鉄心４２に架け渡された状態で設けられている。なお本実施形態において、各ギャップ調整部材４６ａ，４６ｂは、例えば反磁性体等、比透磁率が１よりも小さいもので構成されている。各ギャップ調整部材４６ａ，４６ｂは、インダクタンス調整用に設けられている。
【００２０】
第２バイパス用鉄心４５の長手方向に延びる本体部の端部の一方には、第１バイパス用鉄心４４と同様に、第２磁束入口部４５ａが一体的に設けられ、他方には、第２磁束出口部４５ｂが一体的に設けられている。第２バイパス用鉄心４５は、例えば、フェライト等の磁性体で構成されている。第２磁束入口部４５ａの端部（端面）は、第３ギャップ調整部材４７ａを介して第２積層面４２ｂに機械的に接続され、第２磁束出口部４５ｂの端部（端面）は、第４ギャップ調整部材４７ｂを介して第２積層面４２ｂに機械的に接続されている。第２バイパス用鉄心４５は、巻鉄心４２の内周側空間に入り込まない形状とされている。これにより、第２バイパス用鉄心４５は、巻鉄心４２に架け渡された状態で設けられている。なお、本実施形態において、各ギャップ調整部材４７ａ，４７ｂは、例えば反磁性体等、比透磁率が１よりも小さいもので構成されている。各ギャップ調整部材４７ａ，４７ｂは、インダクタンス調整用に設けられている。
【００２１】
第１巻線４１ａ及び第２巻線４１ｂのそれぞれに電流が流れることにより、巻鉄心４２にはこれを周回する閉磁路（以下、主閉磁路）が形成される。また、第１バイパス用鉄心４４が設けられることにより、主閉磁路に流れる磁束の一部は、第１磁束入口部４４ａ及び第１磁束出口部４４ｂを通る閉磁路であって、主閉磁路とは独立した第１閉磁路を流れる。一方、第２バイパス用鉄心４５が設けられることにより、主閉磁路に流れる磁束の一部は、第２磁束入口部４５ａ及び第２磁束出口部４５ｂを通る閉磁路であって、主閉磁路及び第１閉磁路とは独立した第２閉磁路を流れる。
【００２２】
続いて、図９及び図１０を用いて、関連技術について説明する。なお、図９及び図１０では、巻鉄心及び第１，第２巻線の構成は、本実施形態と同様である。このため、これら部材には、便宜上、先の図５〜図８に示した符号と同一の符号を付している。
【００２３】
図示されるように、関連技術にかかるコモンモードチョークコイル５０は、棒状のバイパス用鉄心５１を備えている。バイパス用鉄心５１の端部のそれぞれは、ギャップ調整部材を介して巻鉄心４２の内周面に機械的に接続されている。
【００２４】
続いて、図１１〜図１４を用いて、本実施形態の効果について説明する。
【００２５】
図１１は、巻鉄心４２の径方向Ｘにおける磁束密度分布を示したものである。なお、Ｘ＝０は巻鉄心４２の外周縁を示し、Ｘ＝５は巻鉄心４２の内周縁を示す（先の図８参照）。また、図１１において、関連技術２は、先の図９及び図１０に示した関連技術の構成からバイパス用鉄心５１を除去した構成のことである。
【００２６】
図１１に示すように、本実施形態によれば、関連技術と比較して、巻鉄心４２の内周面に磁束が集中せず、内周面内に渦電流も発生しにくい（図１２参照）。その結果、図１３及び図１４に示すように、ノーマルモードインダクタンス及びコモンモードインダクタンスの低下を抑制できる。以下、この理由について説明する。
【００２７】
ノーマルモードインダクタンスＬｎは、下式（ｅｑ１）にて表すことができる。
【００２８】
【数１】
2016111307.tif 000003
上式（ｅｑ１）において、「Ｒ」は磁気抵抗を示し、「ｌｇ」はギャップ長を示し、「ｌｃ」は鉄心の磁路長を示し、「Ｓｇ」はギャップ面積を示し、「Ｓｃ」は鉄心の断面積を示し、「μ０」は真空の透磁率を示し、「μ」は比透磁率を示し、「Ｎ」は巻線のターン数を示す。
【００２９】
本実施形態では、図１１に示すように、巻鉄心４２の径方向内部に磁束を分布させることができる。これは、各磁束入口部４４ａ，４５ａ及び各磁束出口部４４ｂ，４５ｂを巻鉄心４２の各積層面４２ａ，４２ｂに対向させることにより、巻鉄心４２において各積層面４２ａ，４２ｂと鎖交する磁束の流れが非磁性層によって規制されるためである。径方向内部に磁束を分布させることにより、上式（ｅｑ１）において、巻鉄心４２の断面積Ｓｃが実質的に増大し、また、巻線に流れる直流電流の増大に伴う比透磁率μの低下が緩やかになる。このため、本実施形態にかかるノーマルモードインダクタンスＬｎは、図１３の直流重畳特性に示すように、直流電流の増大に伴って緩やかに低下する。
【００３０】
これに対し、関連技術では、バイパス用鉄心５１を流れるノーマルモードインダクタンスに寄与する磁束が巻鉄心４２の内周面と鎖交するものの、巻鉄心４２において内周面よりも径方向外側に非磁性層が存在することにより、内周面と鎖交する磁束が巻鉄心４２の径方向内部へと流れるのが妨げられる。このため、巻鉄心４２の内周面に集中し（先の図１２参照）、巻鉄心４２の断面積Ｓｃが実質的に小さくなり、また、直流電流の増大に伴う比透磁率μの低下度合いも大きくなる。その結果、関連技術にかかるノーマルモードインダクタンスは、本実施形態にかかるものよりも小さくなる。
【００３１】
さらに、本実施形態によれば、図１４に示すように、関連技術と比較して、コモンモードインダクタンスも大きくなる。これは、コモンモードインダクタンスが比透磁率μに比例して大きくなること、及び本実施形態における直流電流の増大に伴う比透磁率μの低下度合いが関連技術における直流電流の増大に伴う比透磁率μの低下度合いよりも小さいことによる。
【００３２】
以上詳述した本実施形態によれば、以下の効果が得られるようになる。
【００３３】
（１）各磁束入口部４４ａ，４５ａ及び各磁束出口部４４ｂ，４５ｂのそれぞれを巻鉄心４２の各積層面４２ａ，４２ｂに対向させた状態で、各バイパス用鉄心４４，４５を巻鉄心４２に設けた。このため、巻鉄心４２の内周面における局所的な磁束の集中を抑制しつつ、ノーマルモードインダクタンスとして作用する漏れインダクタンスを増大させることができる。これにより、鉄損を低減したり、直流重畳特性を改善したりすることができる。
【００３４】
特に本実施形態では、各磁束入口部４４ａ，４５ａ及び各磁束出口部４４ｂ，４５ｂのそれぞれの端面を巻鉄心４２の各積層面４２ａ，４２ｂのみに対向させたことが、鉄損の低減効果を大きくしたり、直流重畳特性を改善したりすることに大きく寄与している。
【００３５】
さらに、本実施形態によれば、関連技術と比較して、巻鉄心４２と各バイパス用鉄心４４，４５との間のギャップを容易に調整することもできる。つまり、巻鉄心は一般的に製造公差が大きく、巻鉄心の内周面のうち一対の対向部分間の距離もばらつきやすい。このため、先の図９及び図１０に示した関連技術のように、内周面の一対の対向部分間にバイパス用鉄心を設ける構成では、バイパス用鉄心と内周面との間のギャップの調整が困難となる。ここで、量産された巻鉄心のそれぞれの内周面のうち一対の対向部分間の距離に応じて、バイパス用鉄心の長さを調整することも考えられる。ただしこの場合、バイパス用鉄心の長さを調整するといった余分な工程が追加されることとなる。これに対し、本実施形態によれば、例えば巻鉄心の積層面及び磁束入口部，出口部のそれぞれの平面度の公差が小さいことから、余分な工程を追加することなく、ギャップを容易に調整することができる。
【００３６】
（２）各バイパス用鉄心４４，４５を、巻鉄心４２の内周側空間に入り込まない形状とした。各バイパス用鉄心４４，４５が、巻鉄心４２の内周側空間に入り込む形状である場合、各バイパス用鉄心４４，４５に流れる磁束の一部が巻鉄心４２の内周面へと流れやすくなる。このとき、鉄損の低減効果や直流重畳特性の改善効果が低下するおそれがある。ここで、各バイパス用鉄心４４，４５が巻鉄心４２の内周側空間に入り込まない形状とされていることにより、各バイパス用鉄心４４，４５を巻鉄心４２の内周面から離間させることができる。このため、各バイパス用鉄心４４，４５から巻鉄心４２の内周面へと流れる磁束量を低減することができ、鉄損の低減効果及び直流重畳特性の改善効果を高めることができる。
【００３７】
（第２実施形態）
以下、第２実施形態について、先の第１実施形態との相違点を中心に図面を参照しつつ説明する。本実施形態では、バイパス用鉄心の形状及び数を変更する。
【００３８】
図１５〜図１７に、本実施形態にかかるコモンモードチョークコイルを示す。なお、図１５〜図１７において、先の図５〜図７に示した部材と同一の部材については、便宜上、同一の符号を付している。また、図１７では、第１，第２巻線４１ａ，４１ｂの図示を省略している。
【００３９】
図示されるように、コモンモードチョークコイル６０は、巻鉄心４２、第１，第２巻線４１ａ，４１ｂ、上側第１，第２バイパス用鉄心６１，６２、及び下側第１，第２バイパス用鉄心６４，６５を備えている。
【００４０】
上側第１バイパス用鉄心６１は、薄板半円形状をなしている。上側第１バイパス用鉄心６１の端部の一方には、上側第１バイパス用鉄心６１の平坦面に直交する方向に延びる上側第１磁束入口部６１ａが一体的に設けられ、他方には、上側第１磁束出口部６１ｂが一体的に設けられている。上側第２バイパス用鉄心６２も、薄板半円形状をなしている。上側第２バイパス用鉄心６２の端部の一方には、上側第２磁束入口部６２ａが一体的に設けられ、他方には、上側第２磁束出口部（図示せず）が一体的に設けられている。
【００４１】
上側第１磁束入口部６１ａ及び第２磁束入口部６２ａのそれぞれは、第１ギャップ調整部材６３ａを介して第１積層面４２ａに機械的に接続され、上側第１磁束出口部６１ｂ及び第２磁束出口部のそれぞれは、第２ギャップ調整部材６３ｂを介して第１積層面４２ａに機械的に接続されている。
【００４２】
下側第１バイパス用鉄心６４は、薄板半円形状をなしている。下側第１バイパス用鉄心６４の端部には、上側第１バイパス用鉄心６１と同様に、下側第１磁束入口部６４ａ及び下側第１磁束出口部６４ｂが一体的に設けられている。下側第２バイパス用鉄心６５は、薄板半円形状をなしている。下側第２バイパス用鉄心６５の端部には、上側第２バイパス用鉄心６２と同様に、下側第２磁束入口部６５ａ及び下側第２磁束出口部（図示せず）が一体的に設けられている。
【００４３】
下側第１磁束入口部６４ａ及び第２磁束入口部６５ａのそれぞれは、第３ギャップ調整部材６３ｃを介して第２積層面４２ｂに機械的に接続され、下側第１磁束出口部６４ｂ及び第２磁束出口部のそれぞれは、第４ギャップ調整部材６３ｄを介して第２積層面４２ｂに機械的に接続されている。
【００４４】
以上説明した本実施形態によっても、上記第１実施形態と同様の効果を得ることができる。
【００４５】
（第３実施形態）
以下、第３実施形態について、先の第１実施形態との相違点を中心に図面を参照しつつ説明する。本実施形態では、図１８〜図２０に示すように、巻鉄心の形状を矩形（長方形）環状とする。なお、図１８〜図２０において、先の図５〜図７に示した部材と同一の部材については、便宜上、同一の符号を付している。また、図２０では、巻線の図示を省略している。
【００４６】
図示されるように、コモンモードチョークコイル７０は、巻鉄心７１、第１，第２巻線４１ａ，４１ｂ、及び第１，第２バイパス用鉄心７２，７３を備えている。巻鉄心７１において一対の対向部分のうち一方には、第１巻線４１ａが巻回され、他方には、第２巻線４１ｂが巻回されている。ちなみに本実施形態では、巻鉄心７１の一対の平坦面のうち、一方を第１積層面７１ａと称し、他方を第２積層面７１ｂと称すこととする。
【００４７】
各バイパス用鉄心７２，７３は、上記第１実施形態と同様に、棒状をなしている。第１バイパス用鉄心７２の長手方向端部には、第１磁束入口部７２ａ及び第１磁束出口部７２ｂが一体的に設けられている。第１磁束入口部７２ａは、第１ギャップ調整部材７４ａを介して第１積層面７１ａに機械的に接続され、第１磁束出口部７２ｂは、第２ギャップ調整部材７４ｂを介して第１積層面７１ａに機械的に接続されている。
【００４８】
第２バイパス用鉄心７３の長手方向端部には、第２磁束入口部７３ａ及び第２磁束出口部７３ｂが一体的に設けられている。第２磁束入口部７３ａは、第３ギャップ調整部材７４ｃを介して第２積層面７１ｂに機械的に接続され、第２磁束出口部７３ｂは、第４ギャップ調整部材７４ｄを介して第２積層面７１ｂに機械的に接続されている。
【００４９】
以上説明した本実施形態によっても、上記第１実施形態と同様の効果を得ることができる。
【００５０】
（その他の実施形態）
なお、上記各実施形態は、以下のように変更して実施してもよい。
【００５１】
・巻鉄心に巻回される巻線数としては、２つに限らず、３つ以上であってもよい。具体的には例えば、巻線数を３つとする場合、コモンモードチョークコイルとして、トロイダルコアの異なる３つの部分のそれぞれに巻線が巻回された３相コモンモードチョークコイルを採用することができる。
【００５２】
・上記各実施形態において、バイパス用鉄心のうち磁束入口部と磁束出口部との間に磁気的なギャップを形成してもよい。この場合、バイパス用鉄心と巻鉄心の積層面との間のギャップは必須ではない。
【００５３】
・上記各実施形態において、バイパス用鉄心が、例えばダストコア等、比透磁率の小さいもので構成されている場合、バイパス用鉄心と巻鉄心の積層面との間の磁気的なギャップは必須ではない。
【００５４】
・上記各実施形態では、巻鉄心に設けるバイパス用鉄心の数を２つ又は４つとしたがこれに限らず、１つ、３つ又は５つ以上であってもよい。
【００５５】
・上記各実施形態において、磁束入口部及び磁束出口部のうち少なくとも一方のみと積層面との間に磁気的なギャップを形成してもよい。
【００５６】
また、ギャップ調整部材を介在させて磁気的なギャップを形成するかわりに、エアギャップを形成してもよい。この場合、例えば、巻鉄心に取り付けられたボビンにバイパス用鉄心を取り付ける等、何らかの取付手段によってバイパス用鉄心を巻鉄心に取り付ければよい。
【００５７】
・上記各実施形態では、バイパス用鉄心の磁束入口部及び磁束出口部のそれぞれを巻鉄心の積層面のみに対向させるような形状にバイパス用鉄心を構成したがこれに限らない。磁束入口部及び磁束出口部のそれぞれを、巻鉄心の積層面に加えて、例えば、巻鉄心の内周面に対向させるような形状にバイパス用鉄心を構成してもよい。この場合であっても、上記各実施形態の効果に準じた効果を得ることはできる。
【００５８】
・巻鉄心の形状としては、上記各実施形態に例示したものに限らない。
【符号の説明】
【００５９】
４０…コモンモードチョークコイル、４２…巻鉄心、４４…第１バイパス用鉄心、４５…第２バイパス用鉄心。
【図１】
2016111307.tif 000004
【図２】
2016111307.tif 000005
【図４】
2016111307.tif 000006
【図５】
2016111307.tif 000007
【図６】
2016111307.tif 000008
【図７】
2016111307.tif 000009
【図８】
2016111307.tif 000010
【図９】
2016111307.tif 000011
【図１０】
2016111307.tif 000012
【図１１】
2016111307.tif 000013
【図１３】
2016111307.tif 000014
【図１４】
2016111307.tif 000015
【図１５】
2016111307.tif 000016
【図１６】
2016111307.tif 000017
【図１７】
2016111307.tif 000018
【図１８】
2016111307.tif 000019
【図１９】
2016111307.tif 000020
【図２０】
2016111307.tif 000021
【図３】
2016111307.tif 000022
【図１２】
2016111307.tif 000023